【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
書き込みデータに対し、保存用パスコードを設定させるパスコード設定処理部と、
前記書き込みデータを、前記パスコード設定処理部によって設定された保存用パスコードに対応付けて保存する書き込みデータ保存処理部と、
前記保存用パスコードと同一の復元用パスコードを入力させるパスコード入力処理部と、
該パスコード入力処理部によって入力された復元用パスコードに対応する書き込みデータが保存されている場合、当該書き込みデータを取得する書き込みデータ取得処理部と、
該書き込みデータ取得処理部によって取得された書き込みデータを表示させる黒板描画処理部と、を備えることを特徴とする電子黒板システム。
【請求項２】
請求項１に記載の電子黒板システムにおいて、
前記書き込みデータ保存処理部は、前記保存用のパスコードのハッシュ値を、前記書き込みデータのファイル名として保存し、前記書き込みデータ取得処理部は、前記復元用パスコードのハッシュ値と一致するファイル名の書き込みデータが保存されている場合に、当該書き込みデータを取得することを特徴とする電子黒板システム。
【請求項３】
請求項１又は２の何れか一項の電子黒板システムにおいて、
前記パスコード設定処理部は、前記保存用パスコードの一部として、予め所定の文字列を設定しておくことを特徴とする電子黒板システム。
【請求項４】
請求項３の電子黒板システムにおいて、
前記所定の文字列は、パスコード設定時の日付情報であることを特徴とする電子黒板システム。
【請求項５】
前記書き込みデータに対し、新規頁を追加する頁挿入処理部と、
表示装置に表示される前記書き込みデータの頁から前頁へ移動する前頁移動処理部と、
前記表示装置に表示される前記書き込みデータの頁から後頁へ移動する後頁移動処理部と、を備えたことを特徴とする請求項１乃至４の何れか一項に記載の電子黒板システム。
【請求項６】
書き込みデータに対し、保存用パスコードを設定させるパスコード設定処理部と、
前記書き込みデータを、前記パスコード設定処理部によって設定された前記保存用パスコードに対応付けて保存する書き込みデータ保存処理部と、
前記保存用パスコードと同一の復元用パスコードを入力させるパスコード入力処理部と、
該パスコード入力処理部によって入力された復元用パスコードに対応する書き込みデータが保存されている場合、当該書き込みデータを取得する書き込みデータ取得処理部と、
該書き込みデータ取得処理部によって取得された書き込みデータを表示させる黒板描画処理部と、を備えることを特徴とする電子黒板装置。
【請求項７】
制御装置が書き込みデータに対し、保存用パスコードを設定させるステップと、
前記書き込みデータを、前記パスコード設定処理部によって設定された前記保存用パスコードに対応付けて保存するステップと、
前記保存用パスコードと同一の復元用パスコードを入力させるステップと、
前記復元用パスコードに対応する書き込みデータが保存されている場合、当該書き込みデータを取得するステップと、
前記取得された書き込みデータを表示させるステップと、
を備えることを特徴とする電子黒板システムの制御方法。
【請求項８】
請求項７に記載の電子黒板システムの制御方法をコンピュータに実行させるためのプログラム。
【手続補正２】
【補正対象書類名】明細書
【補正対象項目名】０００５
【補正方法】変更
【補正の内容】
【０００５】
上記の課題を解決するために、請求項１の発明は、書き込みデータに対し、保存用パスコードを設定させるパスコード設定処理部と、前記書き込みデータを、前記パスコード設定処理部によって設定された保存用パスコードに対応付けて保存する書き込みデータ保存処理部と、前記保存用パスコードと同一の復元用パスコードを入力させるパスコード入力処理部と、該パスコード入力処理部によって入力された復元用パスコードに対応する書き込みデータが保存されている場合、当該書き込みデータを取得する書き込みデータ取得処理部と、該書き込みデータ取得処理部によって取得された書き込みデータを表示させる黒板描画処理部と、を備える電子黒板システムを特徴とする。
【手続補正３】
【補正対象書類名】明細書
【補正対象項目名】０００６
【補正方法】変更
【補正の内容】
【０００６】
また、請求項２の発明は、請求項１に記載の電子黒板システムにおいて、前記書き込みデータ保存処理部は、前記保存用のパスコードのハッシュ値を、前記書き込みデータのファイル名として保存し、前記書き込みデータ取得処理部は、前記復元用パスコードのハッシュ値と一致するファイル名の書き込みデータが保存されている場合に、当該書き込みデータを取得する電子黒板システムを特徴とする。
また、請求項３の発明は、請求項１又は２の何れか一項の電子黒板システムにおいて、前記パスコード設定処理部は、前記保存用パスコードの一部として、予め所定の文字列を設定しておく電子黒板システムを特徴とする。
また、請求項４の発明は、請求項３の電子黒板システムにおいて、前記所定の文字列は、パスコード設定時の日付情報である電子黒板システムを特徴とする。
また、請求項５の発明は、前記書き込みデータに対し、新規頁を追加する頁挿入処理部と、表示装置に表示される前記書き込みデータの頁から前頁へ移動する前頁移動処理部と、前記表示装置に表示される前記書き込みデータの頁から後頁へ移動する後頁移動処理部と、を備えた請求項１乃至４の何れか一項に記載の電子黒板システムを特徴とする。
【手続補正４】
【補正対象書類名】明細書
【補正対象項目名】０００７
【補正方法】変更
【補正の内容】
【０００７】
また、請求項６の発明は、書き込みデータに対し、保存用パスコードを設定させるパスコード設定処理部と、前記書き込みデータを、前記パスコード設定処理部によって設定された前記保存用パスコードに対応付けて保存する書き込みデータ保存処理部と、前記保存用パスコードと同一の復元用パスコードを入力させるパスコード入力処理部と、該パスコード入力処理部によって入力された復元用パスコードに対応する書き込みデータが保存されている場合、当該書き込みデータを取得する書き込みデータ取得処理部と、該書き込みデータ取得処理部によって取得された書き込みデータを表示させる黒板描画処理部と、を備える電子黒板装置を特徴とする。
【手続補正５】
【補正対象書類名】明細書
【補正対象項目名】０００８
【補正方法】変更
【補正の内容】
【０００８】
また、請求項７の発明は、制御装置が書き込みデータに対し、保存用パスコードを設定させるステップと、前記書き込みデータを、前記パスコード設定処理部によって設定された前記保存用パスコードに対応付けて保存するステップと、前記保存用パスコードと同一の復元用パスコードを入力させるステップと、前記復元用パスコードに対応する書き込みデータが保存されている場合、当該書き込みデータを取得するステップと、前記取得された書き込みデータを表示させるステップと、を備える電子黒板システムの制御方法を特徴とする。
【手続補正６】
【補正対象書類名】明細書
【補正対象項目名】０００９
【補正方法】変更
【補正の内容】
【０００９】
また、請求項８の発明は、請求項７に記載の電子黒板システムの制御方法をコンピュータに実行させるためのプログラムを特徴とする。